(57)【要約】  【課題】  消費電力を抑制し素子の熱破壊を防止したスキャンドライバー制御システムを提供する。  【解決手段】  スキャン制御回路３が、出力コントロール入力２のタイミングを基準にして複数のスキャン信号入力１を遅延回路２０により異なったタイミングで伝達し、複数のレベルシフト回路７が、スキャン制御回路からの複数のレベルシフト入力を受けて複数の高圧レベルシフトを行い、ドライブ信号を出力する。【選択図】  図１
2005070334.tif 000002
【特許請求の範囲】
【請求項１】
出力コントロール入力のタイミングを基準に複数のスキャン信号入力を異なったタイミングでレベルシフト回路に伝達するスキャン制御回路の工程と、
スキャン制御回路に接続された複数の高圧レベルシフトを行いドライブ信号を出力するレベルシフト工程からなるスキャンドライバー制御方法。
【請求項２】
出力コントロール入力のタイミングを基準に複数のスキャン信号入力を２種類の異なったタイミングでレベルシフト回路に伝達するスキャン制御回路の工程と、
スキャン制御回路に接続された複数の高圧レベルシフト回路のうち半導体チップ上にレイアウトされた半分の面積を占有する半数のレベルシフト工程と、
前記の半数以外のレベルシフト工程からなるスキャンドライバー制御方法。
【請求項３】
出力コントロール入力のタイミングを基準に複数のスキャン信号入力を２種類の異なったタイミングでレベルシフト回路に伝達するスキャン制御回路の工程と、
スキャン制御回路に接続された複数の高圧レベルシフト回路のうち半導体チップ上にレイアウトされた面積内で交互にレイアウトされた半数のレベルシフト工程と、
前記の半数以外のレベルシフト工程からなるスキャンドライバー制御方法。
【請求項４】
複数のスキャン信号入力と出力コントロール入力に接続されたスキャン制御回路と、スキャン制御回路に接続された複数の高圧レベルシフト回路のうち半数の高圧レベルシフト回路と、前記の半数以外の高圧レベルシフト回路からなるスキャンドライバー制御回路。
【発明の詳細な説明】
【技術分野】
【０００１】
本発明は、デジタル及びアナログ集積回路で構成されており、プラズマディスプレイ駆動信号処理に使用されるスキャンドライバー制御システムに関するものである。
【背景技術】
【０００２】
近年、プラズマディスプレイはブラウン管に代わる映像表示装置として普及しており、その消費電力の低減をさらに要望されている。また、プラズマディスプレイを駆動するスキャンドライバーは、数１００ボルトの高電圧出力で６４チャンネル以上のドライブ出力をもつため、スキャンドライバーの消費電力の低減を要望されている。スキャンドライバーに入力された信号は、例えば６０分の１秒の期間に１度表示するため、表示のタイミングを制御するための出力コントロール入力を備えており、入力されたスキャン信号入力はこの出力コントロール入力信号が入るタイミングでドライブ出力を行う。特許文献１はスキャンドライバ等に用いるレベルシフト回路の一例である。
【０００３】
図１は、従来のスキャンドライバー制御回路の構成を示すものであり、同図において、１は複数のスキャン信号入力、２は出力コントロール入力、３は複数のスキャン信号入力１と出力コントロール入力２を受けて複数のレベルシフト回路にレベルシフト出力信号を送るスキャン制御回路、４はスキャン制御回路３から出力される第１のレベルシフト入力、５はスキャン制御回路３から出力される第２のレベルシフト入力、６はスキャン制御回路３から出力される第３のレベルシフト入力、７は第１のレベルシフト入力４と第２のレベルシフト入力５と第３のレベルシフト入力６を受けて、数１００Ｖのドライブ出力を行う複数のレベルシフト回路、８は複数のレベルシフト回路７から出力された複数のドライブ出力、９はスキャン信号入力１と出力コントロール入力２を受けて、第１のレベルシフト入力４と第３のレベルシフト入力６を出力するＤ−フリップフロップ、１０は第１のレベルシフト入力を反転させて第２のレベルシフト入力を作るインバーター、１１はスキャン制御回路の低電圧電源である。
【０００４】
１２はＧＮＤ、１３はレベルシフト回路の高電圧電源、１４は第１のレベルシフト入力をゲートに接続され、ＧＮＤをソースに接続された第１のＮチャンネルＭＯＳトランジスタ、１５は第２のレベルシフト入力をゲートに接続され、ＧＮＤをソースに接続された第２のＮチャンネルＭＯＳトランジスタ、１６は第１のＮチャンネルＭＯＳトランジスタのドレインをドレインに接続され、高電圧電源をソースに接続され、第２のＮチャンネルＭＯＳトランジスタのドレインをゲートに接続された第１のＰチャンネルＭＯＳトランジスタ、１７は第２のＮチャンネルＭＯＳトランジスタのドレインをドレインに接続され、高電圧電源をソースに接続され、第１のＮチャンネルＭＯＳトランジスタのドレインをゲートに接続された第２のＰチャンネルＭＯＳトランジスタ、１８は第３のレベルシフト入力をゲートに接続され、ＧＮＤをソースに接続された第３のＮチャンネルＭＯＳトランジスタ、１９は第２のＰチャンネルＭＯＳトランジスタのドレインと第１のＰチャンネルＭＯＳトランジスタのゲートと第２のＮチャンネルＭＯＳトランジスタのドレインにゲートが接続され、高電圧電源をソースに接続され、第３のＰチャンネルＭＯＳトランジスタのドレインとドライブ出力に接続された第３のＮチャンネルＭＯＳトランジスタである。
【０００５】
同図において３のスキャン制御回路を構成する１と２、４から６及び９と１０の回路について説明を行う。各スキャン信号入力に任意のＬＯあるいはＨＩが与えられた状態から２の出力コントロール入力にトリガ入力が入ると全てのＤ−フリップフロップは同時に第１から第ｎのスキャン信号入力の反転出力を４の第１のレベルシフト入力と６の第３のレベルシフト入力として出力する。また同時に、１０のインバーターによって第１から第ｎのスキャン信号入力の正転出力を５の第２のレベルシフト入力として出力する。
【０００６】
次に、各スキャン信号入力にＬＯあるいはＨＩが与えられている状態で、２の出力コントロール入力トリガがない場合、９のＤ−フリップフロップは前回の値を維持して出力する。
【０００７】
同図において７のレベルシフト回路を構成する８及び１２から１９の回路について説明を行う。４の第１のレベルシフト入力がＨＩの時、第２のレベルシフト入力はＬＯ、第３のレベルシフト入力はＨＩである。この時、１４の第１のＮチャンネルＭＯＳトランジスタはオンするため、１７の第２のＰチャンネルＭＯＳトランジスタのゲートの電圧を下げる。そのため１７もオンすることから１６の第１のＰチャンネルＭＯＳトランジスタのゲートと１９の第３のＰチャンネルＭＯＳトランジスタのゲートの電圧を上げて１６、１９をオフする。また同時に第２のレベルシフト入力はＬＯであるため、１５の第２のＮチャンネルＭＯＳトランジスタはオフしている。また同時に第３のレベルシフト入力はＨＩであるため、１８の第３のＮチャンネルＭＯＳトランジスタはオンしている。１９がオフし１８がオンしている時、８のドライブ出力端子は１２のＧＮＤまで電圧が下がる。
【０００８】
次に、４の第１のレベルシフト入力がＬＯの時、第２のレベルシフト入力はＨＩ、第３のレベルシフト入力はＬＯである。この時、１５の第２のＮチャンネルＭＯＳトランジスタはオンするため、１６の第１のＰチャンネルＭＯＳトランジスタのゲートと１９の第３のＰチャンネルＭＯＳトランジスタのゲートの電圧を下げる。そのため１６もオンすることから１７の第１のＰチャンネルＭＯＳトランジスタのゲートの電圧を上げて１７をオフする。１９も１６と同様にゲート電圧が下がるためオンしている。また同時に第１のレベルシフト入力はＬＯであるため、１４の第１のＮチャンネルＭＯＳトランジスタはオフしている。また同時に第３のレベルシフト入力はＬＯであるため、１８の第３のＮチャンネルＭＯＳトランジスタはオフしている。１９がオンし１８がオフしている時、８のドライブ出力端子は１３の高電圧電源まで電圧が上がる。
【０００９】
以上により、１のスキャン信号入力がＬＯの時、８のドライブ出力は１２のＧＮＤ電圧まで下がり、１のスキャン信号入力がＨＩの時、８のドライブ出力は１３の高電圧電源の電圧まで上がる。但し、２の出力コントロール入力にトリガ入力があるまでは状態を維持し、トリガ入力が入った瞬間に１のスキャン信号入力に応じて８のドライブ出力は変化する。この時、７のレベルシフト回路で消費する電流の増減は出力が切り替わる瞬間に増加する。１３の高圧電源電圧が高い電圧であることから、各レベルシフト回路は切り替わる瞬間の発熱量は大きくなる。
【特許文献１】特公平７−１０５４４８号公報
【発明の開示】
【発明が解決しようとする課題】
【００１０】
しかしながら、従来のスキャンドライバー制御システムでは、２の出力コントロール入力にトリガ入力が入った瞬間に３のスキャン制御回路は全ての７のレベルシフト回路を同時に切り替えている。全てのレベルシフト回路がラッチされていた状態から変化した場合、全てのレベルシフト回路で発熱するため、画面が全白から全黒あるいは全黒から全白や、ネガからポジあるいはポジからネガに反転する時など、大きく変化する時に消費電流が非常に大きくなるという問題があった。
【００１１】
また、１１の低電圧電源が下がった時、９のＤ−フリップフロップと１０のインバーターの駆動能力が下がる。１４の第１のＮチャンネルＭＯＳトランジスタや１５の第２のＮチャンネルＭＯＳトランジスタを駆動する能力が下がると短い時間でオン／オフできなくなるため、切り替わり時間が長くなる。つまり瞬間的に流れる電流が一定でも、切り替わり時間が長くなることで電力量が増加して発熱量が増加するという問題があった。
【００１２】
また、１９の第３のＰチャンネルＭＯＳトランジスタと１８の第３のＮチャンネルＭＯＳトランジスタの間で切り替わり時間の違いから貫通電流が流れてしまう問題が起きる。１１の低電源電圧の電源変動による応答速度の違いを小さくして貫通電流を流れないようにするには、１４と１５のＮチャンネルＭＯＳトランジスタのサイズを大きくして駆動能力を上げるなどの対策が必要になってくるが、そのためにやはり消費電力が大きくなるという問題があった。
【００１３】
７のレベルシフト回路が半導体チップ上で局所的な温度上昇をおこすため、発熱集中による接合温度の末に破壊を起こす可能性もある。
【００１４】
本発明のスキャンドライバー制御システムは、上記従来の問題点を解決するもので、出力コントロール入力にトリガ入力が入ってから画面を表示するまでの期間に各レベルシフト回路を切り替えるタイミングを変化させて、消費電力を抑制する。また、低電圧電源が下がって切り替わり時間が長くなることで消費電流が増加した場合や貫通電流を防止するためにトランジスタサイズを大きくした場合も消費電力が抑制することが可能になり、半導体チップ上にレイアウトされたレベルシフト回路を、タイミングを変えて動作させることにより、発熱の分散を妨げることで破壊などを起こす可能性を防止することが可能なスキャンドライバー制御システムを提供することを目的とする。
【課題を解決するための手段】
【００１５】
本発明のスキャンドライバー制御回路は、出力コントロール入力のタイミングを基準に複数のスキャン信号入力を異なったタイミングでレベルシフト回路に伝達するスキャン制御回路の工程と、スキャン制御回路に接続された複数の高圧レベルシフトを行いドライブ信号を出力するレベルシフト工程から構成されている。
本発明のスキャンドライバー制御回路は出力コントロール入力のタイミングを基準に複数のスキャン信号入力を２種類の異なったタイミングでレベルシフト回路に伝達するスキャン制御回路の工程と、スキャン制御回路に接続された複数の高圧レベルシフト回路のうち半導体チップ上にレイアウトされた半分の面積を占有する半数のレベルシフト工程と、前記の半数以外のレベルシフト工程から構成されている。
【００１６】
本発明のスキャンドライバー制御回路は、出力コントロール入力のタイミングを基準に複数のスキャン信号入力を２種類の異なったタイミングでレベルシフト回路に伝達するスキャン制御回路の工程と、スキャン制御回路に接続された複数の高圧レベルシフト回路のうち半導体チップ上にレイアウトされた面積内で交互にレイアウトされた半数のレベルシフト工程と、前記の半数以外のレベルシフト工程から構成されている。
【００１７】
本発明のスキャンドライバー制御回路は、複数のスキャン信号入力と出力コントロール入力に接続されたスキャン制御回路と、スキャン制御回路に接続された複数の高圧レベルシフト回路のうち半数の高圧レベルシフト回路と、前記の半数以外の高圧レベルシフト回路から構成されている。
【００１８】
本発明のスキャンドライバー制御回路によって、複数のレベルシフト回路を同時に切り替える際に生じる消費電力の増加や発熱にる不安定な動作状態を解消することができる。
【発明の効果】
【００１９】
本発明によれば、出力コントロール入力にトリガ入力が入ってから画面を表示するまでの期間に各レベルシフト回路を切り替えるタイミングを変化させて、消費電力を抑制する。また、低電圧電源が下がって切り替わり時間が長くなることで消費電流が増加した場合や貫通電流を防止するためにトランジスタサイズを大きくした場合も消費電力が抑制することが可能になり、半導体チップ上にレイアウトされたレベルシフト回路を、タイミングを変えて動作させることにより、発熱の分散を妨げることで破壊などを起こす可能性を防止することができる。
【発明を実施するための最良の形態】
【００２０】
以下、本発明の実施の形態について、図面を参照しながら説明する。
【００２１】
（実施の形態１）
図２は、本発明の実施の形態１に係るスキャンドライバー制御システムを示す構成図である。
【００２２】
同図において、１は１は複数のスキャン信号入力、２は出力コントロール入力、３は複数のスキャン信号入力と出力コントロール入力を受けて、複数のレベルシフト回路にレベルシフト出力信号を送るスキャン制御回路、４はスキャン制御回路から出力される第１のレベルシフト入力、５はスキャン制御回路から出力された第２のレベルシフト入力、６はスキャン制御回路から出力される第３のレベルシフト入力、７は第１のレベルシフト入力と第２のレベルシフト入力と第３のレベルシフト入力を受けて、数１００Ｖのドライブ出力を行う複数のレベルシフト回路、８は複数のレベルシフト回路から出力された複数のドライブ出力、９はスキャン信号入力と出力コントロール入力を受けて、第１のレベルシフト入力の遅延前の制御信号と第３のレベルシフト入力の遅延前の制御信号を出力するＤ−フリップフロップ、１０は第１のレベルシフト入力を反転させて第２のレベルシフト入力の遅延前の制御信号を作るインバーター、１１はスキャン制御回路の低電圧電源である。
【００２３】
１２はＧＮＤ、１３はレベルシフト回路の高電圧電源、２０は第１のレベルシフト入力と第２のレベルシフト入力と第３のレベルシフト入力を同じ時間だけ遅延する遅延回路である。
【００２４】
同図において、３のスキャン制御回路を構成する１と２、４から６及び９と１０と２０の回路について説明を行う。各スキャン信号入力に任意のＬＯあるいはＨＩが与えられた状態から２の出力コントロール入力にトリガ入力が入ると全てのＤ−フリップフロップは同時に第１から第ｎのスキャン信号入力の反転出力を４の第１のレベルシフト入力と６の第３のレベルシフト入力として出力する。また同時に、１０のインバーターによってＤ−フリップフロップの正転出力をスキャン信号入力の正転出力を５の第２のレベルシフト入力として出力する。
次に、各スキャン信号入力にＬＯあるいはＨＩが与えられている状態で、２の出力コントロール入力トリガがない場合、９のＤ−フリップフロップは前回の値を維持して出力する。前記Ｄ−フリップフロップの出力は遅延回路で一定時間、遅延される。この複数個の遅延回路は同時に前記Ｄ−フリップフロップからデータを受けたとしても、他の遅延回路とは異なったタイミングで第１から第３のレベルシフト入力をレベルシフト回路へ同時に出力する。
【００２５】
同図において、７のレベルシフト回路を構成する７、８及び１２と１３の回路について説明を行う。７のレベルシフト回路は従来のスキャンドライバー制御システムに含まれるレベルシフト回路と同様の動作を行う。そのため４の第１のレベルシフト入力がＨＩの時、第２のレベルシフト入力はＬＯ、第３のレベルシフト入力はＨＩの時、８のドライブ出力端子は１２のＧＮＤまで電圧が下がる。
【００２６】
次に、４の第１のレベルシフト入力がＬＯの時、第２のレベルシフト入力はＨＩ、第３のレベルシフト入力はＬＯである。この時、８のドライブ出力端子は１３の高電圧電源まで電圧が上がる。
【００２７】
以上により、１のスキャン信号入力がＬＯの時、８のドライブ出力は１２のＧＮＤ電圧まで下がり、１のスキャン信号入力がＨＩの時、８のドライブ出力は１３の高電圧電源の電圧まで上がる。但し、２の出力コントロール入力にトリガ入力があるまでは状態を維持し、トリガ入力が入ってから前記遅延回路によって遅延されたタイミングで８のドライブ出力は変化する。
【００２８】
以上のように、本実施形態によれば、トリガ入力が入ってから画面を表示するまでの期間に各レベルシフト回路を切り替えるタイミングを変化させて、消費電力を抑制する。また１１の低電圧電源が下がって切り替わり時間が長くなることで消費電流が増加した場合や貫通電流を防止するためにトランジスタサイズを大きくした場合も消費電力が抑制することができる。
【００２９】
（実施の形態２）
図３は、本発明の実施の形態２に係るスキャンドライバー制御システムを示す構成図である。
【００３０】
同図において、１は１は複数のスキャン信号入力、２は出力コントロール入力、３は複数のスキャン信号入力と出力コントロール入力を受けて、複数のレベルシフト回路にレベルシフト出力信号を送るスキャン制御回路、４はスキャン制御回路から出力される第１のレベルシフト入力、５はスキャン制御回路から出力された第２のレベルシフト入力、６はスキャン制御回路から出力される第３のレベルシフト入力、７は第１のレベルシフト入力と第２のレベルシフト入力と第３のレベルシフト入力を受けて、数１００Ｖのドライブ出力を行う複数のレベルシフト回路、８は複数のレベルシフト回路から出力された複数のドライブ出力、９はスキャン信号入力と出力コントロール入力を受けて、第１のレベルシフト入力と第３のレベルシフト入力を出力するＤ−フリップフロップ、１０は第１のレベルシフト入力を反転させて第２のレベルシフト入力を作るインバーター、１１はスキャン制御回路の低電圧電源、１２はＧＮＤ、１３は前記レベルシフト回路の高電圧電源、２０は前記出力コントロール入力を一定時間遅延する遅延回路である。
【００３１】
同図において、３のスキャン制御回路を構成する１と２、４から６及び９と１０と２０の回路について説明を行う。各スキャン信号入力に任意のＬＯあるいはＨＩが与えられた状態から２の出力コントロール入力にトリガ入力が入ると第１番目のＤ−フリップフロップから第ｎ／２番目のＤ−フリップフロップまでは同時に各々のスキャン信号入力の反転出力を４の第１のレベルシフト入力と６の第３のレベルシフト入力として出力する。また同時に１０のインバーターによって第１から第ｎのスキャン信号入力の正転出力を５の第２のレベルシフト入力として出力する。また、２の出力コントロール入力にトリガ入力が入ってから前記２０の遅延回路によって一定時間遅れたタイミングで第ｎ／２番目のＤ−フリップフロップから第ｎ番目のＤ−フリップフロップまでは同時に各々のスキャン信号入力の反転出力を４の第１のレベルシフト入力と６の第３のレベルシフト入力として出力する。また一定時間遅れたタイミングで１０のインバーターによってＤ−フリップフロップの正転出力を５の第２のレベルシフト入力として出力する。
【００３２】
同図において、７のレベルシフト回路を構成する７、８及び１２と１３の回路について説明を行う。７のレベルシフト回路は従来のスキャンドライバー制御システムに含まれるレベルシフト回路と同様の動作を行う。そのため４の第１のレベルシフト入力がＨＩの時、第２のレベルシフト入力はＬＯ、第３のレベルシフト入力はＨＩの時、８のドライブ出力端子は１２のＧＮＤまで電圧が下がる。
次に４の第１のレベルシフト入力がＬＯの時、第２のレベルシフト入力はＨＩ、第３のレベルシフト入力はＬＯである。この時、８のドライブ出力端子は１３の高電圧電源まで電圧が上がる。
【００３３】
以上により、１のスキャン信号入力がＬＯの時、８のドライブ出力は１２のＧＮＤ電圧まで下がり、１のスキャン信号入力がＨＩの時、８のドライブ出力は１３の高電圧電源の電圧まで上がる。但し、２の出力コントロール入力にトリガ入力があるまでは状態を維持し、トリガ入力が入ってすぐに前記第１番目のレベルシフト回路から第ｎ／２番目の前記レベルシフト回路は８のドライブ出力は変化する。またトリガ入力が入って遅延回路によって一定時間遅延されたタイミングで第ｎ／２＋１番目のレベルシフト回路から第ｎ番目の前記レベルシフト回路は８のドライブ出力は変化する。半導体チップ上のレベルシフト回路の占める面積のうち、半分の面積が切り変わりのタイミングで発熱している時、もう残り半分は放熱する。
【００３４】
以上のように、本実施形態によれば、トリガ入力が入ってから画面を表示するまでの期間に各レベルシフト回路を切り替えるタイミングを２段階に分け、従来のスキャンドライブ制御システムで全てのレベルシフト回路が同時に切り替わった時に比べて消費電力を１／２に抑制する。また１１の低電圧電源が下がって切り替わり時間が長くなることで消費電流が増加した場合や貫通電流を防止するためにトランジスタサイズを大きくした場合も消費電力を同様に１／２に抑制することができる。
【００３５】
（実施の形態３）
図４は、本発明の実施の形態３に係るスキャンドライバー制御システムを示す構成図である。
【００３６】
同図において、１は１は複数のスキャン信号入力、２は出力コントロール入力、３は複数のスキャン信号入力と出力コントロール入力を受けて、複数のレベルシフト回路にレベルシフト出力信号を送るスキャン制御回路、４はスキャン制御回路から出力される第１のレベルシフト入力、５はスキャン制御回路から出力された第２のレベルシフト入力、６はスキャン制御回路から出力される第３のレベルシフト入力、７は第１のレベルシフト入力と第２のレベルシフト入力と第３のレベルシフト入力を受けて、数１００Ｖのドライブ出力を行う複数のレベルシフト回路、８は複数のレベルシフト回路から出力された複数のドライブ出力、９はスキャン信号入力と出力コントロール入力を受けて、第１のレベルシフト入力と第３のレベルシフト入力を出力するＤ−フリップフロップ、１０は第１のレベルシフト入力を反転させて第２のレベルシフト入力を作るインバーター、１１はスキャン制御回路の低電圧電源、１２はＧＮＤ、１３はレベルシフト回路の高電圧電源、２０は出力コントロール入力を一定時間遅延する遅延回路、２１は複数のレベルシフト回路である。
【００３７】
同図において、３のスキャン制御回路を構成する１と２、４から６及び９と１０と２０の回路について説明を行う。各スキャン信号入力に任意のＬＯあるいはＨＩが与えられた状態から２の出力コントロール入力にトリガ入力が入ると奇数番目のＤ−フリップフロップまでは同時に各々のスキャン信号入力の反転出力を４の第１のレベルシフト入力と６の第３のレベルシフト入力として出力する。また同時に、１０のインバーターによって第１から第ｎのスキャン信号入力の正転出力を５の第２のレベルシフト入力として出力する。また、２の出力コントロール入力にトリガ入力が入ってから前記２０の遅延回路によって一定時間遅れたタイミングで偶数番目ののＤ−フリップフロップまでは同時に各々のスキャン信号入力の反転出力を４の第１のレベルシフト入力と６の第３のレベルシフト入力として出力する。また、一定時間遅れたタイミングで１０のインバーターによってＤ−フリップフロップの正転出力を５の第２のレベルシフト入力として出力する。
【００３８】
同図において、７のレベルシフト回路を構成する７、８及び１２と１３の回路について説明を行う。７のレベルシフト回路は従来のスキャンドライバー制御システムに含まれるレベルシフト回路と同様の動作を行う。そのため４の第１のレベルシフト入力がＨＩの時、第２のレベルシフト入力はＬＯ、第３のレベルシフト入力はＨＩの時、８のドライブ出力端子は１２のＧＮＤまで電圧が下がる。
【００３９】
次に、４の第１のレベルシフト入力がＬＯの時、第２のレベルシフト入力はＨＩ、第３のレベルシフト入力はＬＯである。この時、８のドライブ出力端子は１３の高電圧電源まで電圧が上がる。
【００４０】
以上により、１のスキャン信号入力がＬＯの時、８のドライブ出力は１２のＧＮＤ電圧まで下がり、１のスキャン信号入力がＨＩの時、８のドライブ出力は１３の高電圧電源の電圧まで上がる。但し、２の出力コントロール入力にトリガ入力があるまでは状態を維持し、トリガ入力が入ってすぐに奇数番目のレベルシフト回路は８のドライブ出力は変化する。またトリガ入力が入って遅延回路によって一定時間遅延されたタイミングで偶数目の前記レベルシフト回路は８のドライブ出力は変化する。半導体チップ上のレベルシフト回路の占める面積のうち、レベルシフト回路を番号順に並べることで、奇数番のレベルシフト回路が切り変わりのタイミングで発熱している時、もう残り偶数番のレベルシフト回路は放熱する。
【００４１】
以上のように、本実施形態によれば、トリガ入力が入ってから画面を表示するまでの期間に各レベルシフト回路を切り替えるタイミングを２段階に分け、従来のスキャンドライブ制御システムで全てのレベルシフト回路が同時に切り替わった時に比べて消費電力を１／２に抑制する。また、１１の低電圧電源が下がって切り替わり時間が長くなることで消費電流が増加した場合や貫通電流を防止するためにトランジスタサイズを大きくした場合も消費電力を同様に１／２に抑制することができる。また、半導体チップ上のレベルシフト回路の占める面積のうち、交互にレイアウトされたレベルシフト回路が交互に発熱するため、発熱の集中が緩和されることから、放熱効率が良くなり、誤動作あるいは熱的な劣化を防止することが可能となる。
【産業上の利用可能性】
【００４２】
本発明のスキャンドライバー制御方法及び回路は、出力コントロール入力にトリガ入力が入ってから画面を表示するまでの期間に各レベルシフト回路を切り替えるタイミングを変化させて、消費電力を抑制する。また、低電圧電源が下がって切り替わり時間が長くなることで消費電流が増加した場合や貫通電流を防止するためにトランジスタサイズを大きくした場合も消費電力が抑制することが可能になり、半導体チップ上にレイアウトされたレベルシフト回路を、タイミングを変えて動作させることにより、発熱の分散を妨げることで破壊などを起こす可能性を防止することができるという利点を有し、プラズマディスプレイ等の用途に有用である。
【図面の簡単な説明】
【００４３】
【図１】従来のスキャンドライバー制御システムのブロック図
【図２】本発明の実施の形態１に係るスキャンドライバー制御システムのブロック図
【図３】本発明の実施の形態２に係るスキャンドライバー制御システムのブロック図
【図４】本発明の実施の形態３に係るスキャンドライバー制御システムのブロック図
【図５】本発明の実施の形態４に係るスキャンドライバー制御システムのブロック図
【符号の説明】
【００４４】
１  スキャン信号入力
２  出力コントロール入力
３  スキャン制御回路
４  第１のレベルシフト入力
５  第２のレベルシフト入力
６  第３のレベルシフト入力
７  レベルシフト回路
８  ドライブ出力
９  Ｄ−フリップフロップ
１０  インバーター
１１  低電圧電源
１２  ＧＮＤ
１３  高電圧電源
１４  第１のＮチャンネルＭＯＳトランジスタ
１５  第２のＮチャンネルＭＯＳトランジスタ
１６  第１のＰチャンネルＭＯＳトランジスタ
１７  第２のＰチャンネルＭＯＳトランジスタ
１８  第３のＮチャンネルＭＯＳトランジスタ
１９  第３のＰチャンネルＭＯＳトランジスタ
２０  遅延回路
２１  ｎ個のレベルシフト回路
【図１】
2005070334.tif 000003
【図２】
2005070334.tif 000004
【図３】
2005070334.tif 000005
【図４】
2005070334.tif 000006
【図５】
2005070334.tif 000007